(57)【要約】【課題】  新記録媒体の専用の記録再生システムを購入しなくても、これまで使用していた装置で、その記録媒体へのデータの書込みと読出しを可能にする。【解決手段】  ハードディスクを記録媒体３１として収容したカートリッジ３０は、ＶＨＳビデオデッキ２０に着脱自在に装着される。カートリッジ３０には模擬的にテープ状となった磁気テープシミュレート部３４が設けられ、そこからビデオ信号がデッキ２０側に入出力される。デッキ２０のリール回転モータ２１ｄの回転が回転方向／速度検出部３２で検出され、その結果に基づいたタイミングでビデオデータの記録媒体３１に対する書込み或いは読出しを行う。【選択図】  図１
2005196830.tif 000002
【特許請求の範囲】
【請求項１】
第１の記録媒体を収容した所定形状の第１のカートリッジが装着される装着部を有し、該第１のカートリッジが装着された場合に該第１の記録媒体の記録面に接触又は近接して該第１の記録媒体に対応する第１の信号形態で該第１の記録媒体にデータの書込み或いは読出しを行うヘッドと、該ヘッドの該第１の記録媒体に対する相対位置を記録、再生、停止、早送り或いは巻戻しの指示に対応したタイミングで変化させるために回転或いは移動する駆動部とを備えた本体装置と、
前記第１の記録媒体とは異なる第２の記録媒体を収容し、前記装着部に着脱自在に装着される形状を持つと共に該装着部に装着された場合に前記ヘッドに近接又は接触する一部分を有し、該一部分から前記第１の信号形態で入出力される前記データを該第２の記録媒体に対応する第２の信号形態に変換して該第２の記録媒体に書込み又は読出しを行う手段、該第２の記録媒体のデータの記録位置を管理する手段、前記駆動部の回転或いは移動を検出する手段、及び該駆動部の状態が該第２の記録媒体へのデータの前記記録又は再生に相当する状態のときは、該第２の記録媒体に対する書込みデータ又は読出しデータを該記録または再生に対応するタイミングで前記一部分を介して前記ヘッドに入出力し、該駆動部の状態が前記停止に相当する状態のときは、該ヘッドに対する入出力を停止し、該駆動部の状態が前記早送り又は巻戻しに相当する状態のときは該第２の記録媒体に対してデータの書込み或いは読出しを行う場合よりも早いタイミングで前記記録位置を移動させる手段を備える第２のカートリッジと、
を備えることを特徴とする記録再生システム。
【請求項２】
前記第１の記録媒体は、リールに巻回された磁気テープであり、
前記駆動部は、前記第１のカートリッジが前記本体装置に装着された場合に、前記リールを回転させて前記磁気テープを走行させ、
前記第２のカートリッジは、前記リールの回転速度或いは回転方向から、前記記録、再生、停止、早送り或いは巻戻しが指示されていることを判断することを特徴とする請求項１に記載の記録再生システム。
【請求項３】
前記第２の記録媒体は、記憶領域を複数のブロックに分けて記録することが可能な磁気ハードディスクであり、
前記第２のカートリッジは、前記装着部に装着され、前記駆動部の状態が前記記録又は再生の状態である場合には、収容している前記磁気ハードディスクにおいて、現在対象としているブロックに前記データを順に書込み又は読出し、該駆動部の状態が前記早送り又は巻戻しの状態にあった場合には、該磁気ハードディスクのそれまで対象としていたブロックの次又は前のブロックに対象を進めることを特徴とする請求項１又は２に記載の記録再生システム。
【請求項４】
前記第２のカートリッジは、バッテリを内蔵し、該バッテリから駆動電力が供給されると共に、前記本体装置に装着された時に、前記駆動部の回転又は移動を電力に変換して該バッテリを充電することを特徴とする請求項１乃至３のいずれか１項に記載の記録再生システム。
【請求項５】
前記第２のカートリッジは、前記第２の記録媒体にデータの書込み或いは読出しを行う際には、前記駆動部の回転又は移動を電力に変換して前記バッテリを充電する処理を行わず、前記早送り又は巻戻しを行う際には、前記駆動部の回転又は移動を電力に変換して前記バッテリを充電する処理を行うことを特徴とする請求項４に記載の記録再生システム。
【請求項６】
前記第１の記録媒体には、前記ヘッドから入力されたアナログ信号に基づくアナログの前記データが記録され、前記第２のカートリッジは、該ヘッドから入力されたアナログ信号をデジタル信号に変換し、前記第２の記録媒体には該デジタル信号に基づくデジタルの前記データが書込まれることを特徴とする請求項１乃至５のいずれか１項に記載の記録再生システム。
【請求項７】
前記第１の記録媒体は、磁気テープであり、
前記本体装置は、前記第１のカートリッジが装着されたときに、前記磁気テープの種類によって該磁気テープの走行速度を選択して前記駆動部を動作させる機能を有し、
前記第２のカートリッジは、前記装着部に装着された状態で前記駆動部の動きを検出し、前記本体装置が設定した前記テープ速度を推定し、該推定結果に基づき前記第２の記録媒体に書込むデータの圧縮率を決定することを特徴とする請求項６に記載の記録再生システム。
【請求項８】
記録媒体を収容するとともに本体装置に着脱可能な形状を有し、該本体装置に装着された状態で該本体装置に対応する信号形態で各種信号を入出力するインタフェース部、及び該収容している記録媒体に対応した信号形態で該記録媒体にデータの記録データの書込み或いは読出しを行う入出力手段をそれぞれ備える複数のカートリッジと、
前記ユーザが指示を入力する操作部に対応する信号形態で該操作部に対して操作信号を入出力する手段、外部に接続された入力機器対応する信号形態で該入力機器から映像信号或いは音声信号を入力する手段、外部に接続された出力機器に対応する信号形態で該出力機器に映像信号或いは音声信号を出力する手段、及び前記カートリッジを装着した状態で該カートリッジに対応する信号形態で各種信号を該カートリッジに入出力するインタフェース部をそれぞれ備える複数の本体装置とで構成された記録再生システムであって、
前記カートリッジには、前記本体装置に着脱される部分の形状が共通し、収容する前記記録媒体の種類が異なる複数種類のカートリッジが存在し、
前記本体装置には、前記カートリッジを装着する部分の形状が共通し、前記操作部、前記入力機器、出力機器が異なる複数種類の本体装置が存在し、
前記各本体装置は、
前記入力機器から該入力機器に固有の信号形態で入力される前記映像信号また音声信号を所定の信号形態の映像信号又は音声信号に変化して前記インタフェース部に与える手段と、
当該本体装置の前記インタフェース部から与えられた前記映像信号また音声信号を前記出力機器に固有の信号形態の映像信号又は音声信号に変化して該出力機器に与える手段と、
前記操作部から該操作部に固有する信号形態で入力された前記操作信号を所定の信号形態に変換して当該本体装置のインタフェース部に与える手段とを備え、
前記各カートリッジは、
当該カートリッジのインタフェース部から所定の信号形態で入力された前記映像信号又は音声信号を当該カートリッジに収容している記録媒体に固有の信号形態のデータに変換して該データを該記録媒体に書込む手段と、
当該カートリッジに収容している記録媒体から読出したデータを前記所定の信号形態の映像信号又は音声信号に変換し、当該カートリッジのインタフェース部に与える手段と、
当該カートリッジのインタフェース部から所定の信号形態で入力された前記操作信号を解析することにより、記録、再生、早送り或いは巻戻しの動作種別を判断する判断手段と、
前記判断結果に応じて、当該カートリッジに収容している記録媒体に対するデータの読出し、書込みを制御すると共に、該データの読出し及び書込みを行う記録媒体上の位置の移動速度を制御する手段と、
を備えることを特徴とする記録再生システム。
【請求項９】
第１の記録媒体を収容した所定形状の第１のカートリッジが装着される装着部を有し、該第１のカートリッジが装着された場合に該第１の記録媒体の記録面に接触又は近接して該第１の記録媒体に対応する第１の信号形態で該第１の記録媒体にデータの書込み或いは読出しを行うヘッドと、該ヘッドの該第１の記録媒体に対する相対位置を記録、再生、停止、早送り或いは巻戻しの指示に対応したタイミングで変化させるために回転或いは移動する駆動部とを備えた本体装置に対し、
前記装着部に着脱自在に装着される形状を持つと共に前記第１の記録媒体とは異なる第２の記録媒体を収容し、
前記装着部に装着された場合に前記ヘッドに近接又は接触する一部分と、
前記一部分から前記第１の信号形態で入出力される前記データを前記第２の記録媒体に対応する第２の信号形態に変換して前記第２の記録媒体に書込み又は読出しを行う手段と、
前記第２の記録媒体のデータの記録位置を管理する手段と、
前記駆動部の回転或いは移動を検出する手段と、
前記駆動部の状態が前記第２の記録媒体へのデータの前記記録又は再生に相当する状態のときは、該第２の記録媒体に対する書込みデータ又は読出しデータを前記記録または再生に対応するタイミングで前記一部分を介して前記ヘッドに入出力し、前記駆動部の状態が前記停止に相当する状態のときは、該ヘッドに対する入出力を停止し、該駆動部の状態が前記早送り又は巻戻しに相当する状態のときは該第２の記録媒体に対してデータの書込み或いは読出しを行う場合よりも早いタイミングで前記記録位置を移動させる手段と、
を備えることを特徴とするカートリッジ。
【発明の詳細な説明】
【技術分野】
【０００１】
本発明は、記録媒体にアクセスしてデータの記録或いは再生を行う記録再生システム及びカートリッジに関する。
【背景技術】
【０００２】
従来より、映像データ及び音声データを含むビデオデータを記録再生するシステムに、図１７のようなＶＨＳビデオデッキがある。
図１７は、従来のＶＨＳビデオデッキの構成例を示す図である。
【０００３】
ＶＨＳビデオデッキは、テレビ放送等のビデオデータをアンテナから入力するチューナ部１と、ビデオデータを外部のテレビモニタに出力するビデオ出力部２と、記録媒体である磁気テープＴＡにビデオデータを書き込んだり、磁気テープＴＡからビデオデータを読み出す記録再生部３と、制御部４と、操作ボタン５とを備えている。磁気テープＴＡは、図示しないリールに巻回されてカートリッジ１０に収納されている。カートリッジ１０は、ＶＨＳビデオデッキに着脱自在の外形を有している。
【０００４】
記録再生部３は、カートリッジ１０中のリールを回転させる回転リール部３ａ、磁気テープＴＡを引き込む磁気テープ引き込み部３ｂと、書込み用ヘッド３ｃと、読出し用ヘッド３ｄとを、備えている。カートリッジ１０には、リールの回転を磁気テープＴＡの走行に変換する変換機構１１が設けられている。
操作ボタン５やリモコン等から入力れされた操作者の指示に基づき、制御部４は記録再生部３の動作を制御し、装着されたカートリッジ１０の磁気テープＴＡの巻戻し、早送り、録画（ビデオデータの記録）、再生等を行う。
【０００５】
ビデオデータは、磁気テープＴＡ上に順番に書込まれる。磁気テープＴＡへのデータの書込み及び読み出しを行う際には、ＶＨＳビデオデッキ側の回転リール部３ａによってリールを回転させて磁気テープＴＡを走行させ、書込み用ヘッド３ｃ或いは読出し用ヘッド３ｄに対する磁気テープＴＡの相対位置を変化させ、順番にビデオデータの書込み或いは読出しを行う。
巻戻しの際には、回転リール部３ａにより、リールを逆回転させ、早送りの場合には、リールを高速に回転させている。
【０００６】
このようなＶＨＳビデオデッキに対し、近年では、より大容量、高品質にビデオデータを記録したり、保存性、取り扱い性或いは速度等を向上させた記録媒体も開発され、日々進歩している。
【０００７】
ＶＨＳビデオデッキの他に、光ディスクを記録媒体とするＤＶＤビデオデッキやハードディスクを記録媒体とするコンピュータ（ビデオパソコン）、さらに、青色レーザを用いた大容量データの記録が可能な光ディスを記録媒体とするビデオデッキ等も開発されている。
【０００８】
一方、テレビ放送においても、従来のアナログ地上波放送や衛星放送に代わ
って、地上波デジタル放送も開始されようとしている。音響装置に関しても、従来の２チャネルスピーカのほかに、５．１チャネルデジタルサウンドなども選択することが可能になってきている。また、利用者が操作指示を行う手段も、操作ボタンやリモコンばかりでなく、インターネットを介して録画予約を行うようにしたものも汎用化されつつある。
【０００９】
このように、ビデオデータの記録や再生を行うＶＨＳビデオデッキ等の周辺環境は、日々進歩している。記録媒体が異なれば、その記録媒体にビデオデータを記録したり、再生システムも異なる。これに対し、次の特献文献１には、メモリーカードに記録されたオーディオデータを、ラジオカセットデッキで聴く技術が示されている。
【特許文献１】特開２００１−１７５８１７号公報
【００１０】
特許文献１は、メモリカードが装着可能であると共に、メモリカード上のオーディオデータを再生する再生機構を備えると共に、ラジオカセットデッキに装着可能な外形形状を有するカセットアダプタを提案している。そして、メモリカード上のオーディオデータをラジオカセットデッキで聴くときには、ラジオカセットデッキとカセットアダプタとを接続しておき、両者を起動する。これにより、カセットアダプタの出力するビデオデータがラジオカセットから出力され、聴くことができる。
【発明の開示】
【発明が解決しようとする課題】
【００１１】
前述したように、ＶＨＳビデオデッキ等の記録再生システムを取り巻く環境は、日々進歩し、その進歩に合わせて例えばＶＨＳビデオデッキの構成も逐次変更されている。  そのため、記録媒体などの一部の機能を入れ替えたい場合でも、その他の部分も含めてＶＨＳビデオデッキ全体を新たに購入する必要があった。よって、古いＶＨＳビデオデッキが無駄になるばかりでなく、それを処分する場合の環境問題や、利用者の出費がかさむという問題があった。特許文献１のカセットアダプタのような方式を採用すると、古い機器も利用することが可能のになるが、単にカセットアダプタの出力信号をその古い機器に与えるだけでは、記録媒体に自由にビデオデータを書込んだり読出したりすることがでない。また、古い機器の機能を十分に利用できない。
【００１２】
本発明は、新たな記録再生システムを購入しなしくても、種々の記録媒体に対してビデオデータの書込み或いは読出しが可能な記録再生システムを提供し、利用者にかかる経済的負担を軽減することを目的とする。
【課題を解決するための手段】
【００１３】
上記目的を達成するために、本発明の第１の観点に係る記録再生システムは、第１の記録媒体を収容した所定形状の第１のカートリッジが装着される装着部を有し、該第１のカートリッジが装着された場合に該第１の記録媒体の記録面に接触又は近接して該第１の記録媒体に対応する第１の信号形態で該第１の記録媒体にデータの書込み或いは読出しを行うヘッドと、該ヘッドの該第１の記録媒体に対する相対位置を記録、再生、停止、早送り或いは巻戻しの指示に対応したタイミングで変化させるために回転或いは移動する駆動部とを備えた本体装置と、
前記第１の記録媒体とは異なる第２の記録媒体を収容し、前記装着部に着脱自在に装着される形状を持つと共に該装着部に装着された場合に前記ヘッドに近接又は接触する一部分を有し、該一部分から前記第１の信号形態で入出力される前記データを該第２の記録媒体に対応する第２の信号形態に変換して該第２の記録媒体に書込み又は読出しを行う手段、該第２の記録媒体のデータの記録位置を管理する手段、前記駆動部の回転或いは移動を検出する手段、及び該駆動部の状態が該第２の記録媒体へのデータの前記記録又は再生に相当する状態のときは、該第２の記録媒体に対する書込みデータ又は読出しデータを該記録または再生に対応するタイミングで前記一部分を介して前記ヘッドに入出力し、該駆動部の状態が前記停止に相当する状態のときは、該ヘッドに対する入出力を停止し、該駆動部の状態が前記早送り又は巻戻しに相当する状態のときは該第２の記録媒体に対してデータの書込み或いは読出しを行う場合よりも早いタイミングで前記記録位置を移動させる手段を備える第２のカートリッジと、
を備えることを特徴とする。
【００１４】
この場合、前記第１の記録媒体は、リールに巻回された磁気テープであり、前記駆動部は、前記第１のカートリッジが前記本体装置に装着された場合に、前記リールを回転させて前記磁気テープを走行させ、前記第２のカートリッジは、前記リールの回転速度或いは回転方向から、前記記録、再生、停止、早送り或いは巻戻しが指示されていることを判断してもよい。
【００１５】
また、前記第２の記録媒体は、記憶領域を複数のブロックに分けて記録することが可能な磁気ハードディスクであり、前記第２のカートリッジは、前記装着部に装着され、前記駆動部の状態が前記記録又は再生の状態である場合には、収容している前記磁気ハードディスクにおいて、現在対象としているブロックに前記データを順に書込み又は読出し、該駆動部の状態が前記早送り又は巻戻しの状態にあった場合には、該磁気ハードディスクのそれまで対象としていたブロックの次又は前のブロックに対象を進めてもよい。
【００１６】
また、前記第２のカートリッジは、バッテリを内蔵し、該バッテリから駆動電力が供給されると共に、前記本体装置に装着された時に、前記駆動部の回転又は移動を電力に変換して該バッテリを充電してもよい。
【００１７】
また、前記第２のカートリッジは、前記第２の記録媒体にデータの書込み或いは読出しを行う際には、前記駆動部の回転又は移動を電力に変換して前記バッテリを充電する処理を行わず、前記早送り又は巻戻しを行う際には、前記駆動部の回転又は移動を電力に変換して前記バッテリを充電する処理を行ってもよい。
【００１８】
また、前記第１の記録媒体には、前記ヘッドから入力されたアナログ信号に基づくアナログの前記データが記録され、前記第２のカートリッジは、該ヘッドから入力されたアナログ信号をデジタル信号に変換し、前記第２の記録媒体には該デジタル信号に基づくデジタルの前記データが書込まれてもよい。
【００１９】
また、前記第１の記録媒体は、磁気テープであり、前記本体装置は、前記第１のカートリッジが装着されたときに、前記磁気テープの種類によって該磁気テープの走行速度を選択して前記駆動部を動作させる機能を有し、前記第２のカートリッジは、前記装着部に装着された状態で前記駆動部の動きを検出し、前記本体装置が設定した前記テープ速度を推定し、該推定結果に基づき前記第２の記録媒体に書込むデータの圧縮率を決定してもよい。
【００２０】
上記目的を達成するために、本発明の第２の観点に係る記録再生システムは、記録媒体を収容するとともに本体装置に着脱可能な形状を有し、該本体装置に装着された状態で該本体装置に対応する信号形態で各種信号を入出力するインタフェース部、及び該収容している記録媒体に対応した信号形態で該記録媒体にデータの記録データの書込み或いは読出しを行う入出力手段をそれぞれ備える複数のカートリッジと、前記ユーザが指示を入力する操作部に対応する信号形態で該操作部に対して操作信号を入出力する手段、外部に接続された入力機器対応する信号形態で該入力機器から映像信号或いは音声信号を入力する手段、外部に接続された出力機器に対応する信号形態で該出力機器に映像信号或いは音声信号を出力する手段、及び前記カートリッジを装着した状態で該カートリッジに対応する信号形態で各種信号を該カートリッジに入出力するインタフェース部をそれぞれ備える複数の本体装置とで構成された記録再生システムであって、
前記カートリッジには、前記本体装置に着脱される部分の形状が共通し、収容する前記記録媒体の種類が異なる複数種類のカートリッジが存在し、
前記本体装置には、前記カートリッジを装着する部分の形状が共通し、前記操作部、前記入力機器、出力機器が異なる複数種類の本体装置が存在し、前記各本体装置は、前記入力機器から該入力機器に固有の信号形態で入力される前記映像信号また音声信号を所定の信号形態の映像信号又は音声信号に変化して前記インタフェース部に与える手段と、当該本体装置の前記インタフェース部から与えられた前記映像信号また音声信号を前記出力機器に固有の信号形態の映像信号又は音声信号に変化して該出力機器に与える手段と、前記操作部から該操作部に固有する信号形態で入力された前記操作信号を所定の信号形態に変換して当該本体装置のインタフェース部に与える手段とを備え、
前記各カートリッジは、当該カートリッジのインタフェース部から所定の信号形態で入力された前記映像信号又は音声信号を当該カートリッジに収容している記録媒体に固有の信号形態のデータに変換して該データを該記録媒体に書込む手段と、当該カートリッジに収容している記録媒体から読出したデータを前記所定の信号形態の映像信号又は音声信号に変換し、当該カートリッジのインタフェース部に与える手段と、当該カートリッジのインタフェース部から所定の信号形態で入力された前記操作信号を解析することにより、記録、再生、早送り或いは巻戻しの動作種別を判断する判断手段と、前記判断結果に応じて、当該カートリッジに収容している記録媒体に対するデータの読出し、書込みを制御すると共に、該データの読出し及び書込みを行う記録媒体上の位置の移動速度を制御する手段と、を備えることを特徴とする。
【００２１】
上記目的を達成するために、本発明の第３の観点に係るカートリッジは、第１の記録媒体を収容した所定形状の第１のカートリッジが装着される装着部を有し、該第１のカートリッジが装着された場合に該第１の記録媒体の記録面に接触又は近接して該第１の記録媒体に対応する第１の信号形態で該第１の記録媒体にデータの書込み或いは読出しを行うヘッドと、該ヘッドの該第１の記録媒体に対する相対位置を記録、再生、停止、早送り或いは巻戻しの指示に対応したタイミングで変化させるために回転或いは移動する駆動部と備えた本体装置に対し、
前記装着部に着脱自在に装着される形状を持つと共に前記第１の記録媒体とは異なる第２の記録媒体を収容し、
前記装着部に装着された場合に前記ヘッドに近接又は接触する一部分と、
前記一部分から前記第１の信号形態で入出力される前記データを前記第２の記録媒体に対応する第２の信号形態に変換して前記第２の記録媒体に書込み又は読出しを行う手段と、
前記第２の記録媒体のデータの記録位置を管理する手段と、
前記駆動部の回転或いは移動を検出する手段と、
前記駆動部の状態が前記第２の記録媒体へのデータの前記記録又は再生に相当する状態のときは、該第２の記録媒体に対する書込みデータ又は読出しデータを前記記録または再生に対応するタイミングで前記一部分を介して前記ヘッドに入出力し、前記駆動部の状態が前記停止に相当する状態のときは、該ヘッドに対する入出力を停止し、該駆動部の状態が前記早送り又は巻戻しに相当する状態のときは該第２の記録媒体に対してデータの書込み或いは読出しを行う場合よりも早いタイミングで前記記録位置を移動させる手段と
を備えることを特徴とする。
【発明の効果】
【００２２】
本発明によれば、新たに記録再生システムを購入しなしくても、種々の記録媒体に対してビデオデータの書込み或いは読出しが可能な記録再生システムを提供することができる。
【発明を実施するための最良の形態】
【００２３】
（実施形態１）
図１は、本発明の実施形態１に係る記録再生システムの構成図である。
図２は、図１中のカートリッジの要部を示す図である。
【００２４】
この記録再生システムは、ＶＨＳビデオデッキ２０を本体装置とし、その機能を利用して、例えば磁気ハードディスクにデータの記録及び再生を行うシステムである。ＶＨＳビデオデッキ２０には、本来、磁気テープを収容した図示しないカートリッジが装着され、その磁気テープに映像や音声を示すビデオデータが書込まれる。また、磁気テープに記録されているビデオデータが読出（再生）される。
【００２５】
本実施形態では、磁気テープとは異なる磁気ハードディスクを記憶媒体３１をとして収容したカートリッジ３０がＶＨＳビデオデッキ２０に装着される。即ち、カートリッジ３０は、磁気テープを収容したカートリッジと同様の外形形状を有し、ＶＨＳビデオデッキ２０に着脱自在になっている。
【００２６】
ＶＨＳビデオデッキ２０は、磁気テープを収容するカートリッジ或いはカートリッジ３０が装着される装着部２１を備えている。装着部２１には、書込み用ヘッド２１ａと、読出し用ヘッド２１ｂと、磁気テープ引き込み部２１ｃと、駆動部を構成するリール回転モータ２１ｄ等が配置されている。リール回転モータ２１ｄは、磁気テープを巻いたリールを回転させるものである。
【００２７】
ＶＨＳビデオデッキ２０は、さらに、テレビ放送等で映像及び音声を示すビデオデータをアンテナから入力するチューナ部２２と、ビデオデータを外部のテレビモニタに出力するビデオ出力部２３と、操作ボタンやリモコンで構成された操作部２４と、ＶＨＳビデオデッキ２０の全体を制御する制御部２５とを備えている。
【００２８】
カートリッジ３０は、記録媒体３１を収容するとともに、磁気テープを収容するカートリッジと同様の図示しない左右のダミーリールを２個備えている。カートリッジ３０のダミーリールには磁気テープは巻回されていない。
【００２９】
カートリッジ３０は、リール回転モータ２１ｄの回転方向及び回転速度を検出する回転方向／速度検出部３２と、バッテリ３３と、磁気テープシミュレート部３４とを備えている。カートリッジ内部において、図２のように、各種制御回路が実装された基板３５上に、回転方向／速度検出部３２と、記録媒体３１としての磁気ハードディスクとバッテリ３３とが配置される。
【００３０】
回転方向／速度検出部３２は、例えばリール回転モータ２１ｄの回転方向と速度を求める。この回転方向／速度検出部３２には、電源制御信号への変換処理部３６と、発電／充電制御部３７とが接続されている。電源制御信号への変換処理部３６は、リール回転モータ２１ｄの回転方向或いは回転速度が、例えば早送りや巻戻しの状態を示すときに、充電を行う制御信号を作成してバッテリ３３及び発電／充電制御部３７に送る。発電／充電制御部３７は、図示しない発電機を持ち、電源制御信号への変換処理部３６からその制御信号が与えられたときに、リール回転モータ２１ｄの回転エネルギーを用いて発電し、バッテリ３３を充電する。バッテリ３３は、カートリッジ３０内の各部に電力を供給する。
【００３１】
回転方向／速度検出部３２には、さらに、論理的なデータ位置への変換処理部３８が接続され、論理的なデータ位置への変換処理部３８には、記録媒体に対応したデータ位置への変換処理部３９が接続されている。論理的なデータ位置への変換処理部３８は、リール回転モータ２１ｄの回転情報に対応する論理アドレスを求め、その論理アドレスを記録媒体３１に対応したアドレスに変換する。
磁気テープシミュレート部３４には、記録／再生判定処理部４０が接続されている。
【００３２】
図３は、磁気テープシミュレート部３４の構成例を示す図である。図４は、他のシミュレート部の構成例を示す図である。
【００３３】
磁気テープシミュレート部３４は、ＶＨＳビデオデッキ２０のように、本来磁気テープを収容したカートリッジが装着される場合に、その磁気テープを模擬したものであり、図３のようにテープ状をなしている。磁気テープシミュレート部３４が磁気テープ引き込み部２１ｃによりＶＨＳビデオデッキ２０側に引き込まれ、磁気テープシミュレート部３４の表面がヘッド２１ａ，２１ｂと接触する。磁気テープシミュレート部３４の裏面には、コイル状の電極３４ａが配置され、ヘッド２１ａ，２１ｂに対してデータを入出力する構成になっている。
【００３４】
本体装置がＶＨＳビデオデッキ２０でなく、例えばＤＶＤ−ＲＯＭ対応の装置の場合には、磁気テープシミュレート部３４に相当するシミュレート部は、例えば図４のようにＤＶＤ−ＲＯＭを模擬した平板状の模擬ディスク３４ｃで構成される。本体装置の光ヘッドが模擬ディスク３４ｃに近接して動く範囲に光ファイバ３４ｂの先端を配列して取付け、入力されたレーザ光から現在の光ヘッドの位置が分かるようにしてもよい。
【００３５】
磁気テープシミュレート部３４に、記録／再生判定処理部４０と、アナログ／デジタルデータ変換処理部４１とが接続されている。アナログ／デジタルデータ変換処理部４１に、符号化／復号化処理部４２が接続され、符号化／復号化処理部４２に、書込み／読出し処理部４３が接続されている。
【００３６】
記録／再生判定処理部４０は、磁気テープシミュレート部３４から与えられた情報に基づき、記録媒体３１に書込みを行うか、読出しを行うかを判定する回路であり、判定結果をアナログ／デジタルデータ変換処理部４１、符号化／復号化処理部４２及び書込み／読出し処理部４３に与える。
【００３７】
アナログ／デジタルデータ変換処理部４１は、その判定結果に応じてデジタルデータとアナログデータの変換を行う。符号化／復号化変換処理部４２は、圧縮或いは伸長を行う。書込み／読出し処理部４３には、記録媒体に対応したデータ位置への変換処理部３９からアドレスが与えられ、書込み／読出し処理部４３は、記録媒体３１のそのアドレスに対応する位置に、データの書込み或いは読出しを行う。
【００３８】
カートリッジ３０には、さらに、記録媒体に記録されているデータを管理する図示しないメモリーやＣＰＵを備えている。メモリには、図５のような記録データ管理情報が更新可能に書込まれる。
【００３９】
図５は、データを管理するためのメモリーの記憶例を示す図である。
映像データ及び音声データからなるビデオデータが記録媒体３１に書込まれる時には、図５に示すように管理番号に対応させて、記録ファイル名、記録モード、記録日時、記録時間、全ＧＯＰ（Grope Of Picture）数、全フレーム数等が管理情報としてメモリに書込まれる。
【００４０】
次に、図１の記録再生システムの動作を、図６から図１３を参照しつつ、説明する。
カートリッジ３０は、電源オフの状態（図６のステップＳＴ１）で、ＶＨＳビデオデッキ２０の装着部２１に装着されると（ステップＳＴ２）、ＶＨＳビデオデッキ２０が磁気テープシミュレート部３４をローディングする。カートリッジ３０は、その時発生する力で発電モータを回転させて、発電された起電力で電源をオンにする（ステップＳＴ３）。
【００４１】
カートリッジ３０中の図示しないＣＰＵは、タイマーをリセットし（ステップＳＴ４）、３分以上経過すると（ステップＳＴ５：３分以上）、電源をオフす
る（ステップＳＴ６）。ここで、ダミーリールが回転するのを待ち、ダミーリールが回転すると（ステップＳＴ７：あり）、電源を再びオンさせ（ステップＳＴ８）、スタンバイモードに入り（ステップＳＴ９）、処理をステップＳＴ４に戻す。
【００４２】
ステップＳＴ５の処理で３分未満であれば、ＣＰＵはリール回転モータ２１ｄの回転状況を回転方向／速度検出部３２で観察し、規格以外の回転で回転していることを検出した場合には（ステップＳＴ１０；規格間回転以外）、処理を動作に進める。リール回転モータ２１ｄが規格回転をしていることを検出した場合には（ステップＳＴ１０：規格回転）、録画時にヘッド２１ａから発生する磁気を検出する（ステップＳＴ１１）。
【００４３】
磁気が検出された場合（ステップＳＴ１１：あり）、録画動作へ移行する。磁気が検出されない場合（ステップＳＴ１１：なし）、再生動作へ移行する。リール回転モータ２１ｄの回転できなかった場合（ステップＳＴ１０：なし）、ＳＴステップＳＴ５の処理を繰り返す。
【００４４】
録画動作は、図７に示すように、まず、新たな記録ファイルを作成する（ステップＳＴ２１）。また、ＶＨＳビデオデッキ２０でテープ切れを検出しないように、左ダミーリールを回転させる（ステップＳＴ２２）。続いて、記録媒体３１に空き容量があるか否かを判断する（ステップＳＴ２３）。空き容量がない場合には（ステップＳＴ２３：なし）、古いデータを消去する（ステップＳＴ２４）。
【００４５】
古いデータを消去したのち、または記録媒体３１の空き容量がある場合（ステップＳＴ２３：あり）、後述するハードディスク記録処理を行う（ステップＳＴ１００）。ハードディスク記録処理が終了した段階で、リール回転モータの回転状態を確認し、リール回転モータ２１ｄが規格回転で回転している場合（ステップＳＴ２５：規格回転）、ステップＳＴ２３に処理を戻す。
【００４６】
リール回転モータ２１ｄが停止した場合（ステップＳＴ２５：停止）。ダミーリールの回転を止める（ステップＳＴ２６）。ダミーリールの回転を止めた後、スタンバイモードに移る。
【００４７】
ステップＳＴ１００のハードディスク記録処理は、図８のように、磁気テープシミュレート部３４での磁気検出によって入力したアナログビデオ信号をデジタルに変換する（ステップＳＴ１０１）。リール回転速度を確認し、それが３倍モードに相当するとき（ステップＳＴ１０２：３倍モード）、デジタル変換されたビデオデータをＭＰＥＧ２，３Ｍｂｐｓで１ＧＯＰ分圧縮する（ステップＳＴ１０３）。リール回転モータの回転が標準モードに相当するとき（ステップＳＴ１０２：標準モード）、デジタル変換された１ＧＯＰ分のビデオデータをＭＰＥＧ２，９Ｍｂｐｓで圧縮する（ステップＳＴ１０４）。
【００４８】
圧縮されたデータを、記録媒体３１のカレント管理番号で指定されたファイル内のカレントＧＯＰ番号で指定された位置に追加記録する（ステップＳＴ１０５）。カレントＧＯＰ番号に１を加える（ステップＳＴ１０６）。
【００４９】
図６中の頭出し動作の詳細を図１０に示す。
頭出し動作では、まず、頭出しカウンタをリセットする（ステップＳＴ３１）。リール回転モータ２１ｄの回転状態を確認し、その回転が早送りの場合（ステップＳＴ３２：早送り）、ＶＨＳビデオデッキ２０にテープ切れと判断されないように、左ダミーリールを回転させる（ステップＳＴ３３）。
【００５０】
そして、磁気テープシミュレート部３４に早送り頭出し信号を模擬的に出力する（ステップＳＴ３４）。
【００５１】
ステップＳＴ３２でリール回転モータ２１ｄの回転が、巻戻しに相当する場合には（ステップＳＴ３２：巻戻し）、右ダミーリールを回転させる（ステップＳＴ３５）。また、一旦、磁気テープ引き込み部２１ｃに引き込まれた磁気テープシミュレート部３４を軽い力でカートリッジ３０側に引く（ステップＳＴ３６）。引き込みに成功した場合には（ステップＳＴ３７：成功）、イジェクトと判断して電源をオフにする（ステップＳＴ３８）。引き込みに失敗した時には（ステップＳＴ３７：失敗）、磁気テープシミュレート部３４に巻戻し頭出し信号を模擬的に出力する（ステップＳＴ３９）。
【００５２】
ステップＳＴ３４またはステップＳＴ３９の後に、発電モータを回転させ（ステップＳＴ４０）、バッテリ３３に充電させる（ステップＳＴ４１）。ステップＳＴ４２で頭出し信号が出力されてから２秒が経過したかどうかを判断し、未経過の場合には（ステップＳＴ４２：未経過）、ステップＳＴ４３でリール回転モータ２１ｄの回転が規格回転以外である否かを判断する。
【００５３】
規格回転以外の場合には（ステップＳＴ４３：規格回転以外）、ステップＳＴ４０からステップＳＴ４２を継続する。ステップＳＴ４２で２秒が経過したときには、新たに頭出し信号を磁気テープシミュレート部３４に出力する（ステップＳＴ４４）。そして、リール回転モータ２１ｄの回転方向が早送りの場合（ステップＳＴ４６：早送り）、頭出しカウンタの値に１を加算する（ステップＳＴ４７）。リール回転モータ２１ｄの回転方向が巻戻しの場合（ステップＳＴ４６：巻戻し）、頭出しカウンタの値から１を減算する（ステップＳＴ４８）。
【００５４】
ステップＳＴ４３でリール回転モータ２１ｄが回転停止したことを検出した場合、或いは規格回転になったことを検出した場合（ステップＳＴ４３：停止又は規格回転）、ダミーリールの回転を停止する（ステップＳＴ４９）。そして、磁気テープシミュレート３４に与えていた頭出し信号を停止し（ステップＳＴ５０）、カレント管理番号に頭出しカウンタ値を加算する（ステップＳＴ５１）。
【００５５】
図６中の再生動作を詳細を図１１に示している。
再生動作では、最初にビデオデータのファイルの有無を検出する（ステップＳＴ６１）。ビデオデータのファイルがない場合に（ステップＳＴ６１：ファイルなし）、エラーを示す映像を再生するためのデータを磁気テープシミュレート部３４を介してＶＨＳビデオデッキ２０側に与える（ステップＳＴ６２）。
ステップＳＴ６２の終了後、又は、ステップＳＴ６１でファイルがあった場合、左ダミーリールを回転させ（ステップＳＴ６３）、後述するハードディスク再生処理ＳＴ２００を行う。
【００５６】
ハードディスク再生処理が終了した段階で、再生の最終フレームになっているか否かを判断する（ステップＳＴ６４）。最終フレームになっていた場合には（ステップＳＴ６４；はい）、カレント管理番号に１を加算する（ステップＳＴ６５）し、処理をステップＳＴ６１に戻す。
【００５７】
再生の最終フレームになっていない場合（ステップＳＴ６４：いいえ）、リール回転モータ２１ｄの回転状態を観測し、それが規格回転であれば（ステップＳＴ６６：規格回転）、再度ハードディスク再生処理（ステップＳＴ２００）に処理を戻す。リール回転モータ２１ｄの回転が停止していた場合には（ステップＳＴ６６；停止）、一時停止と判断し、再生を一時停止する（ステップＳＴ６７）。そして、タイマをリセットし（ステップＳＴ６８）、ステップＳＴ６９及びステップＳＴ７０で、２分間、リール回転モータ２１ｄが停止しているかどうかを観測し、リール回転モータ２１ｄが回転したら、処理をステップＳＴ６６に戻す。２分間以上停止していたら（ステップＳＴ６９：２分以上）、スタンバイモードに入る。
【００５８】
また、ステップＳＴ６６でリール回転モータ２１ｄが、規格回転以外で回転していることが検出された場合は（ステップＳＴ６６：規格回転以外）、ステップＳＴ８０のスロー／高速再生動作へと処理を移す。
【００５９】
ここで、前述のハードディスク再生処理ＳＴ２００を説明しておく。
ハードディスク再生処理ＳＴ２００では、図９のように、カレント管理番号で指定されたファイル内のカレントＧＯＰ番号で指定される位置の圧縮データをフレームに分解する（ステップＳＴ２０１）。
【００６０】
分解された各フレームのデータをアナログビデオ信号に変換し、磁気テープシミュレート部３４へ出力する（ステップＳＴ２０２）。そして、カレントＧＯＰ番号に１を加算する（ステップＳＴ２０３）。
【００６１】
一方、ステップＳＴ８０のスロー／高速再生動作は、ステップＳＴ８１でリール回転モータ２１ｄの回転状態を観察し、それが早送りに相当する場合に、後述するハードディスク早送り再生処理ＳＴ３００を行い、左ダミーリールを回転させ（ステップＳＴ８３）、ＶＨＳビデオデッキ２０によるテープ切れの検出を防止する。そして、再生が最終フレームになったか否かを判定する（ステップＳＴ８４）。最終フレームになっている場合（ステップＳＴ８４：はい）、カレント管理番号に１を加算し（ステップＳＴ８５）、処理をステップＳＴ８１に戻す。
【００６２】
ステップＳＴ８１でリール回転モータ２１ｄの回転が巻戻しに相当することが検出された場合（ステップＳＴ８１：巻戻し）、後述するハードディスク巻戻し再生処理ＳＴ４００を行う。ハードディスク巻戻し再生処理ＳＴ４００の後、右ダミーリールを回転させ（ステップＳＴ８６）、ＶＨＳビデオデッキ２０によるテープ切れの検出を防止する。そして、再生が先頭フレームになったか否かを判定する（ステップＳＴ８７）。先頭フレームになっている場合（ステップＳＴ８７：はい）、カレント管理番号から１を減算し（ステップＳＴ８８）、処理をステップＳＴ８１に戻す。
【００６３】
ステップＳＴ８４で再生が最終フレームになっていない場合或いは、ステップＳＴ８７で再生が先頭フレームになっていない場合（ステップＳＴ８４，８７：いいえ）、リール回転モータ２１ｄの回転状態を検出し、変化があれば（ステップＳＴ８９：変化あり）、処理をステップＳＴ６６に戻す。変化がなければ（ステップＳＴ８９：変化なし）、処理をステップＳＴ８１に戻す。
【００６４】
前述のハードディスク早送り再生処理ＳＴ３００では、図１３のように、カレント管理番号で指定されるファイル内のカレントＧＯＰ番号で指定される位置の圧縮データを記録媒体３１から読出し、フレームに分解する（ステップＳＴ３０１）。次に、リール回転モータ２１ｄの回転速度を検出し、その回転速度が低速に相当するときには（ステップＳＴ３０２：低速）、分解された各フレーム間に補間フレームを挿入し、所定のタイミングで順番にアナログビデオ信号に変換して、磁気テープシミュレート部３４に出力する（ステップＳＴ３０３）。
【００６５】
リール回転モータ２１ｄの回転速度が高速に相当するときには（ステップＳＴ３０２：高速）、分解されたフレームの間引きを行い、所定のタイミングでアナログのビデオ信号に変換し、磁気テープシミュレート部３４に出力する（ステップＳＴ３０４）。ステップＳＴ３０３又はステップＳＴ３０４の後、カレントＧＯＰ番号に１を加算する（ステップＳＴ３０５）。
【００６６】
ハードディスク巻戻し再生処理ＳＴ４００は、ハードディスク早送り再生処理ＳＴ３００と同様の処理であるが、ビデオ信号を磁気テープシミュレート部３４に出力したのち、カレントＧＯＰ番号から１を減算する。
【００６７】
以上のような本実施形態の記録再生システムは。例えばハードディスクを収容するカートリッジ３０をＶＨＳビデオデッキ２０に着脱自在に装着される形状にし、カートリッジ３０に、磁気テープシミュレート部３４と、リール回転モータ２１ｄの回転状態を検出する回転方向／速度検出部３２とを備え、リール回転モータ２１ｄの回転状態に基づきハードディスクへの書込みと読出しを行なう構成にしたので、ＶＨＳビデオデッキ２０及びそれに接続される周辺機器をそのまま流用できる。よって、新たな機器を購入しなくても、ハードディスクに対するデータの書込みと読出し可能になる。また、その書込み及び読出しは、従来の磁気テープに対するデータの書込み及び読出しと同じ操作で実現でき、利用者の負担を軽減できる。
【００６８】
また、記録媒体３１であるハードディスクにファイル単位でデータの記録位置を管理しているので、ハードディスクに対するアクセスをランダムにすることができ、早送りや、巻戻しの高速化が可能である。
【００６９】
また、カートリッジ３０内にバッテリ３３を備え、ＶＨＳビデオデッキ２０に装着された時に充電される構成にしたので、カッツリッジ３０を長時間ＶＨＳビデオデッキ２０に装着することが可能である。
【００７０】
また、バッテリ３３の充電は、早送りや巻戻しの時に行うので、データの書込みや読出しを行う際に電圧変動を起こすことが防止されるので、信頼性の高いアクセスを実現できる。
【００７１】
また、ＶＨＳビデオデッキ２０がデータ記録及び再生時に速度を変更する機能を持っていれば、記録媒体３１に書込むデジタルデータ或いは読出したデジタルデータの圧縮を変化させることがてきる。
【００７２】
（実施形態２）
図１４は、本発明の実施形態２に係る記録再生システムを示す構成図である。  この記録再生システムは、記録媒体８０を収容するカートリッジ９０と、カーートリッジ９０が着脱自在に装着される本体装置１００とで構成されている。
【００７３】
カートリッジ９０には、本体装置１００に対応する信号形態で信号を本体装置１００に入出力するインタフェース部９１と、制御信号変換部９２と、記録データ変換部９３と、再生データ変換部９４と、記録／再生制御部９５と、記録用ヘッド９６と、再生用ヘッド９７とを、備えている。
【００７４】
制御変換部は、インタフェース部９１から与えられた操作信号から、データの記録、再生、早送り或いは巻戻しが指示されたかを判断すると共に、該判断結果に対応する制御信号を出力する回路である。記録データ変換部９３は、インタフェース部９１から与えられた記録データを記録媒体８０に固有の信号形態のデータに変換し、記録用ヘッド９６に与える。再生データ変換部９４は、再生ヘッド９７から、記録媒体８０に固有の信号形態で読出されたビデオデータを、一般的な信号形態のビデオデータに変換し、インタフェース部９１に与える。
【００７５】
これに対し、本体装置１００は、インタフェース部１０１を備えている。インタフェース部１０１は、カートリッジ９０のインタフェース部９１との間で、一般的な信号形態で信号を入出力する。
【００７６】
本体装置１００には、さらに、制御信号変換部１０２と、記録データ変換部１０３と、再生データ変換部１０４と、操作信号入力部１０５と、記録データ入力部１０６と、再生データ出力部１０７とを備えている。操作信号入力部１０５は、ユーザが操作をして指示を入力するリモコン等から、その指示に対応する操作信号を入力するものである。制御信号変換部１０２は、その操作信号との制御信号を、一般的な信号形態の制御信号に変換してインタフェース部１０１に与える。
【００７７】
記録データ変換部１０３は、記録データ入力部１０６から与えられたビデオ信号を一般的な形態のビデオ信号に変換してインタフェース部１０１に与える。再生データ変換部１０４は、インタフェース部１０１から与えられた一般的な信号形態の再生データを外部機器のテレビ等に固有の信号形態の信号に変化し再生データ出力部１０７に与える。再生データ出力部１０７は、その外部機器にビデオデータを出力する。
【００７８】
このような構成の記録再生システムでは、図１５のように、インターフェース９１，１０１間で種々の制御信号やその応答やビデオデータ、記録データの送受信が行われる。ここで、インターフェース９１，１０１間では一般的な信号形態で各制御信号、各応答、ビデオデータ、及び記録データが送受信される。そのため、カートリッジ９０が装着可能な構成であれば、カートリッジ９０に収容される記録媒体８０の種類に限定されず、その記録媒体８０に対して、記録データの書込みとビデオデータの読出とが可能になる。
【００７９】
即ち、複数種類の記録媒体に対して記録データの書込みとビデオデータの読出しが可能である。逆に、複数の本体装置１００がある場合に、特定の記録媒体８０を収容したカートリッジ９０を任意の本体装置１００に装着して書込みと再生を行わせることができる。
【００８０】
例えば、図１６のように、例えば従来のＶＨＳビデオデッキには、ＶＨＳビデオテープにのみデータの書込み或いは読出しができ、ＳＶＨＳビデオデッキには、ＳＶＨＳのテープとＶＨＳのテープとにしか、書込み及び読出しができなかった
。しかし、本実施形態を適用することにより、複数種類の記録媒体８０に対する書込み或いは読出しが可能になるばかりでなく、これらの制御も可能である。したがって、早送り、巻戻し、スロー／高速再生等も可能になり、利用者が本体装置１００の機能を十分利用できる。
【００８１】
これにより、記録媒体やそれ取り巻く環境が変化しても、システムの再構築や、一部の装置を新たに購入する必要もなくなり、利用者にかかる経済的な負担を軽減できる。
【図面の簡単な説明】
【００８２】
【図１】本発明の第１の実施形態に係る記録再生システムの構成図である。
【図２】図１中のカートリッジの内部の要部を示す図である。
【図３】磁気テープシミュレート部の構成例を示す図である。
【図４】他のシミュレート部の構成例を示す図である。
【図５】データを管理するためのメモリーの記憶例を示す図である。
【図６】図１の記録再生システムの動作を説明するフローチャートである。
【図７】図１の記録再生システムの動作を説明するフローチャートである。
【図８】ハードディスク記録処理のフローチャートである。
【図９】ハードディスク再生処理のフローチャートである。
【図１０】頭出し動作のフローチャートである。
【図１１】再生動作のフローチャートである。
【図１２】スロー／高速再生を示すフローチャートである。
【図１３】ハードディスク早送り再生処理のフローチャートである。
【図１４】本発明の第２の実施形態に係る記録再生システムの構成図である。
【図１５】インターフェース間の信号の送受信を示す説明図である。
【図１６】本体装置の利点を説明する説明図である。
【図１７】従来ＶＨＳビデオデッキの構成例を示す図である。
【符号の説明】
【００８３】
２０・・・ＶＨＳビデオデッキ、２１・・・装着部、２１ａ・・・書込み用ヘッド、２１ｂ・・・読出し用ヘッド、２２・・・チューナ、２３・・・ビデオ出力部、２４・・・操作部、２５・・・制御部、３０・・・カートリッジ、３１・・・記録媒体、３２・・・回転方向／速度検出部、３３・・・バッテリ、３４・・・磁気テープシミュレート部
【図１】
2005196830.tif 000003
【図２】
2005196830.tif 000004
【図３】
2005196830.tif 000005
【図４】
2005196830.tif 000006
【図５】
2005196830.tif 000007
【図６】
2005196830.tif 000008
【図７】
2005196830.tif 000009
【図８】
2005196830.tif 000010
【図９】
2005196830.tif 000011
【図１０】
2005196830.tif 000012
【図１１】
2005196830.tif 000013
【図１２】
2005196830.tif 000014
【図１３】
2005196830.tif 000015
【図１４】
2005196830.tif 000016
【図１５】
2005196830.tif 000017
【図１６】
2005196830.tif 000018
【図１７】
2005196830.tif 000019